(57)【要約】【課題】液晶表示素子上の電極と回路基板上の電極とを接続するワイヤーの断線を防止することが可能な液晶表示デバイスを提供する。【解決手段】液晶表示素子３を回路基板４上に固定し、液晶表示素子３上の電極５と回路基板４上の電極６とをワイヤー７で接続した後、ワイヤー７を保護樹脂９で覆い、更に保護樹脂９の上に平板上の保護プレート１０を配置する。保護プレート１０は保護樹脂９及びその周囲に設けられた保護樹脂流れ防止樹脂８の上部にそれらの接着性を利用して固定されている。ワイヤー７は保護樹脂９と保護プレート１０により二重に保護されるため、外的ストレスに対する耐久性が向上し、ワイヤー７の断線がより確実に防止される。【選択図】図１
2014016435.tif 000002
【特許請求の範囲】
【請求項１】
液晶表示素子を回路基板上に固定し、当該液晶表示素子上に設けられた外部接続用の電極と前記回路基板上に設けられた電極とをワイヤーで接続し、当該ワイヤーを保護樹脂で覆った液晶表示素子において、
前記保護樹脂上に平板状の保護プレートを配置したことを特徴とする液晶表示デバイス。
【請求項２】
前記保護プレートは、前記保護樹脂の周囲に設けられた保護樹脂流れ防止樹脂の上部に固定されていることを特徴とする請求項１に記載の液晶表示デバイス。
【請求項３】
前記保護プレートは、前記液晶表示素子の表面に配置される見切り部材の一部で構成されていることを特徴とする請求項１又は２に記載の液晶表示デバイス。
【請求項４】
前記保護プレートは、樹脂で構成されていることを特徴とする請求項１〜３の何れか一つに記載の液晶表示デバイス。
【発明の詳細な説明】
【技術分野】
【０００１】
本発明は、液晶表示デバイスに関するものである。
【背景技術】
【０００２】
液晶表示素子を回路基板に固定し、液晶表示素子上の電極と回路基板上の電極とをワイヤーにより接続した後、ワイヤーを保護するためにワイヤー周辺に保護樹脂を塗布することが一般的に行われている。
【０００３】
保護樹脂には例えば熱硬化型樹脂を使用し、特に熱硬化後にワイヤーへのストレス（応力）を低減するためには粘度の低い樹脂を使用することが好ましいが、粘度の低い樹脂は塗布後熱硬化するまでに周囲に広がりやすいため、樹脂の流れを防止するためにワイヤーの周囲にダムを形成することがある。（例えば、特許文献１参照）
【０００４】
図２は従来技術による液晶表示デバイスを示す図で、（Ａ）は上面図、（Ｂ）はＡ−Ａ断面図である。従来技術による液晶表示デバイスでは、例えばガラス基板である第１基板１とシリコン基板である第２基板２とを互いに貼り合わせることで形成された隙間に液晶を封入して成る液晶表示素子３を回路基板４上に固定し、第２基板２の一端部に設けられた外部接続用の電極５と回路基板４上に設けられた電極６とをワイヤー７で接続した後、ワイヤー７の周囲に保護樹脂流れ防止樹脂８をディスペンサ等で塗布する。この時、ワイヤー７の周囲のうち３辺を高粘度の保護樹脂流れ防止樹脂８で囲い、残りの１辺を第１基板１の外周を利用して囲むことで、ワイヤー７の周囲にダムを形成する。次に、第１基板１と保護樹脂流れ防止樹脂８で囲まれた領域に低粘度の保護樹脂９を充填し、保護樹脂流れ防止樹脂８と保護樹脂９を同一キュア工程で硬化させる。低粘度の保護樹脂９は第１基板１と保護樹脂流れ防止樹脂８で囲まれているため、外部へ流れ出すことはない。
【先行技術文献】
【特許文献】
【０００５】
【特許文献１】特開２００６−３０８８２２号公報
【発明の概要】
【発明が解決しようとする課題】
【０００６】
従来技術では、低粘度の保護樹脂を使用することにより保護樹脂の熱膨張・収縮によるワイヤーへの応力を軽減することは可能であるが、低粘度の保護樹脂は硬度が低いため、外的ストレスに対してはワイヤーの保護を十分に行えないという問題がある。
【０００７】
本発明は、以上の問題点に鑑みたもので、ワイヤーの断線を防止することが可能な液晶表示デバイスを提供することを目的とする。
【課題を解決するための手段】
【０００８】
液晶表示素子を回路基板上に固定し、当該液晶表示素子上に設けられた外部接続用の電極と前記回路基板上に設けられた電極とをワイヤーで接続し、当該ワイヤーを保護樹脂で覆った液晶表示素子において、前記保護樹脂上に平板状の保護プレートを配置した液晶表示デバイスとする。
【０００９】
前記保護プレートは、前記保護樹脂の周囲に設けられた保護樹脂流れ防止樹脂の上部に固定されている液晶表示デバイスとすることができる。
【００１０】
前記保護プレートは、前記液晶表示素子の表面に配置される見切り部材の一部で構成されている液晶表示デバイスとすることができる。
【００１１】
前記保護プレートは、樹脂で構成されている液晶表示デバイスとすることができる。
【発明の効果】
【００１２】
本発明によれば、ワイヤーを覆う保護樹脂の上に平板状の保護プレートを配置することで保護強度が向上するため、外的ストレスによるワイヤーの断線を防止することができる。
【図面の簡単な説明】
【００１３】
【図１】本発明による液晶表示デバイスの一実施例を示す図で、（Ａ）は上面図、（Ｂ）はＡ−Ａ断面図
【図２】従来技術による液晶表示デバイスを示す図で、（Ａ）は上面図、（Ｂ）はＡ−Ａ断面図
【発明を実施するための形態】
【００１４】
図１は本発明による液晶表示デバイスの一実施例を示す図で、（Ａ）は上面図、（Ｂ）はＡ−Ａ断面図である。例えばガラス基板である第１基板１とシリコン基板である第２基板２とを互いに貼り合わせることで形成された隙間に液晶を封入してなる液晶表示素子３が、第２基板２側を下にして回路基板４上に固定されている。第２基板２の一端部は第１基板１の一端部よりも側方へ迫り出しており、その迫り出した部分に外部接続用の電極５が設けられている。電極５は回路基板４上に設けられた電極６とワイヤー７により接続され、ワイヤー７全体が保護樹脂９で覆われている。保護樹脂９には例えば低粘度の樹脂が使用され、その周囲のうち３辺が保護樹脂９よりも高粘度の保護樹脂流れ防止樹脂８で囲まれ、残りの１辺が第１基板１の外周部で囲まれている。保護樹脂９には例えばシリコン性２液混合タイプである信越化学工業社製ＫＥ−１２８３を使用することができ、保護樹脂流れ防止樹脂８には例えばＴｈｒｅｅＢｏｎｄ社製ＴＢ１２０６Ｃを使用することができる。
【００１５】
尚、保護樹脂９と保護樹脂流れ防止樹脂８に共にシリコン性の樹脂を用いた場合には、互いの相性により界面部分が硬化不良を引き起こす可能性が高いが、このような場合には、保護樹脂流れ防止樹脂８を完全に硬化させた後に保護樹脂９の塗布を行うのが好適である。
【００１６】
保護樹脂９は硬化後の硬度が低く、それだけではワイヤー７を外的ストレスから十分に保護することができない。保護樹脂９の周囲は保護樹脂流れ防止樹脂８と第１基板１の外周部とにより囲まれているため外的ストレスに対する耐性はある程度確保されているが、外部へ露出された保護樹脂９の上部は外的ストレスに対する耐性が低くなっている。故に保護樹脂９の上部は外的ストレスに対する耐性を向上させる目的で平板状の保護プレート１０で覆われている。保護プレート１０は保護樹脂流れ防止樹脂８及び保護樹脂９の上部にそれらの接着性を利用して固定されている。保護プレート１０の固定は保護樹脂９及び保護樹脂流れ防止樹脂８の硬化と同時に行うことが可能である。保護プレート１０には樹脂プレート、金属プレート、ガラスプレートなどを使用することが可能であるが、熱膨張係数の観点からは、保護プレート１０は保護樹脂流れ防止樹脂８及び保護樹脂９と同様の樹脂製であるのが好適である。
【００１７】
本実施例では保護樹脂９を保護プレート１０で覆っているため、外的ストレスに対する耐性が向上し、ワイヤー７の断線をより確実に防止することが可能である。
【００１８】
また、保護プレート１０は平板状のものを保護樹脂９の上部に載置するだけでよいため、取り付けの作業性に優れており、更に、保護樹脂流れ防止樹脂８の周囲も保護プレート１０で覆う場合に比べて横方向への大型化を抑えることができる。
【００１９】
保護プレート１０は保護樹脂流れ防止樹脂８の上部には配置せず、それより内側の保護樹脂９の上部にのみ配置してもよい。しかし、保護プレート１０の配置の安定性からは、保護樹脂９より高粘度の保護樹脂流れ防止樹脂８の上部に配置するのが好適である。
【００２０】
保護プレート１０は保護樹脂９の上部を全て覆っているのが好ましいが、一部を覆っているだけでもよい。
【００２１】
保護樹脂９の周囲はその任意の辺を選択的に保護樹脂流れ防止樹脂８で囲むことが可能であり、保護樹脂９の外部への流出が問題とならないのであれば、保護樹脂流れ防止樹脂８は省略することも可能である。尚、保護樹脂流れ防止樹脂８の上部に保護プレート１０を配置する場合には、保護プレート１０の配置の安定性を考え、保護樹脂９の周囲の２辺以上を保護樹脂流れ防止樹脂８で囲むのが好適である。
【００２２】
また、画像の視認側となる第１基板１の主面上に画像表示領域を規定するための見切り部材を配置する場合には、見切り部材の一端部を保護樹脂９の上方へ拡張するなどして保護プレート１０として利用することも可能である。この場合には、保護プレート１０を別体で設ける場合に比べて部品点数と取り付けの工数を削減することができる。
【符号の説明】
【００２３】
１    第１基板
２    第２基板
３    液晶表示素子
４    回路基板
５    液晶表示素子上の電極
６    回路基板上の電極
７    ワイヤー
８    保護樹脂流れ防止樹脂
９    保護樹脂
１０  保護プレート
【図１】
2014016435.tif 000003
【図２】
2014016435.tif 000004